(57)【要約】  小形でチルトレベルの調整範囲が広い可変イコライザを実現するために、可変イコライザは、互いに異なるチルト量を持つ複数の第１の光イコライザを含む第１の光イコライザ群と、複数の第２の光イコライザを含む第２の光イコライザ群と、入力された光信号が、選択された第１の光イコライザと選択された第２の光イコライザとを通過して出力するように光信号の光路を形成する光素子と、を備え、複数の第２の光イコライザの少なくとも１つは、複数の第１の光イコライザのいずれとも異なるチルト量を持つ。
2019176894.tif 000002
【特許請求の範囲】
【請求項１】
互いに異なるチルト量を持つ複数の第１の光イコライザを含む第１の光イコライザ群と、
複数の第２の光イコライザを含む第２の光イコライザ群と、
入力された光信号が、選択された前記第１の光イコライザと選択された前記第２の光イコライザとを通過して出力するように前記光信号の光路を形成する光素子と、を備え、
複数の前記第２の光イコライザの少なくとも１つは、複数の前記第１の光イコライザのいずれとも異なるチルト量を持つ、
可変イコライザ。
【請求項２】
第１の光スイッチと、
前記第１の光スイッチが選択可能な光路に一端が接続された前記第１の光イコライザと、
前記第１の光イコライザの他端と前記第２の光イコライザの一端とを接続する第２の光スイッチと、
前記第２の光イコライザの他端を結合する第１の光カプラと、
を備える請求項１に記載された可変イコライザ。
【請求項３】
前記第１の光スイッチは１×Ｎ光スイッチであり、
前記第１の光イコライザ群はＮ個の前記第１の光イコライザを含み、
前記第２の光スイッチはＮ×Ｍ光マトリクススイッチであり、
前記第２の光イコライザ群はＭ個の前記第２の光イコライザを含み、
前記第１の光カプラはＭ×１光カプラであり、
Ｍ及びＮはいずれも２以上の整数である、
請求項２に記載された可変イコライザ。
【請求項４】
複数の第３の光イコライザを含む第３の光イコライザ群と、
前記第２の光イコライザの他端と前記第３の光イコライザの一端とを接続する第３の光スイッチと、をさらに備え、
複数の前記第３の光イコライザの少なくとも１つは、複数の前記第１の光イコライザ及び複数の前記第２の光イコライザのいずれとも異なるチルト量を持ち、
前記第１の光カプラに代えて、前記第３の光イコライザの他端を結合する第２の光カプラを備える、請求項２又は３に記載された可変イコライザ。
【請求項５】
前記第３の光スイッチはＭ×Ｌ光マトリクススイッチであり、
前記第３の光イコライザ群はＬ個の前記第３の光イコライザを含み、
前記第２の光カプラはＬ×１光カプラであり、
Ｌは２以上の整数である、
請求項４に記載された可変イコライザ。
【請求項６】
さらに、前記第１の光スイッチに入力される前記光信号のチルトレベルに基づいて、前記第１の光スイッチ及び前記第２の光スイッチを制御するチルト制御手段を備える、
請求項２乃至５のいずれかに記載された可変イコライザ。
【請求項７】
さらに、前記第１の光スイッチに入力される前記光信号のチルトレベルに基づいて、前記第１乃至第３の光スイッチを制御するチルト制御手段を備える、
請求項４又は５に記載された可変イコライザ。
【請求項８】
前記チルト制御手段は、
前記光信号を分岐する第３の光カプラと、
前記第３の光カプラで分岐された前記光信号の複数の波長における強度を示す電気信号を生成する光電変換部と、
前記電気信号に基づいて前記光信号のチルトレベルを解析する解析手段と、
目標チルトレベル及び前記光信号のチルトレベルに基づいて少なくとも前記第１の光スイッチ及び前記第２の光スイッチを制御するスイッチ制御手段と、
を備える請求項６又は７に記載された可変イコライザ。
【請求項９】
前記チルト制御手段は、
前記光信号を分岐する第３の光カプラと、
前記第３の光カプラで分岐された前記光信号のスペクトルを示す電気信号を生成する光電変換部と、
前記電気信号に基づいて前記光信号のチルトレベルを解析するチルトレベル解析手段と、
目標チルトレベル及び前記光信号のチルトレベルに基づいて少なくとも前記第１の光スイッチ、前記第２及び第３の光スイッチを制御するスイッチ制御手段と、
を備える請求項７に記載された可変イコライザ。
【請求項１０】
互いに異なるチルト量を持つ複数の第１の光イコライザを含む第１の光イコライザ群から第１の光イコライザを選択し、
複数の第２の光イコライザを含み、複数の前記第２の光イコライザの少なくとも１つが複数の前記第１の光イコライザのいずれとも異なるチルト量を持つ第２の光イコライザ群から第２の光イコライザを選択し、
入力された光信号が、前記第１の光イコライザと前記第２の光イコライザとを通過して出力するように前記光信号の光路を形成する、
可変イコライザの制御方法。
【請求項１１】
前記光信号の複数の波長における強度を示す電気信号を生成し、
前記電気信号に基づいて前記光信号のチルトレベルを解析し、
目標チルトレベル及び前記光信号のチルトレベルに基づいて前記光路を形成する、
請求項１０に記載された可変イコライザの制御方法。
【発明の詳細な説明】
【技術分野】
【０００１】
本発明は可変イコライザ及び可変イコライザの制御方法に関し、特に、イコライザの波長特性の傾きが可変である可変チルト（Tilt）イコライザ及びその制御方法に関する。
【背景技術】
【０００２】
長距離の光海底ケーブルシステムの伝送品質を確保するためには、システムのＢＯＬからＥＯＬまでの間、光伝送路を伝搬する光信号の強度の波長特性（光プロファイル）の傾きがフラット（チルトレベルが０ｄＢ）であることが望ましい。ＢＯＬはBeginning of Life、ＥＯＬはEnd of Lifeを意味する。しかし、光プロファイルのチルトレベルは、海底ケーブルや中継器の修理や経年劣化によって変動する。そのため、システム運用中にチルトレベルをフラットに保つために、チルトレベルを調節できる可変チルトイコライザ装置が必要となる。【０００３】
本発明に関連して、特許文献１は光増幅中継伝送システムにおける光利得プロファイルの調整技術を開示する。特許文献２は光伝送システムにおける分散スロープの補償技術を開示する。
【先行技術文献】
【特許文献】
【０００４】
【特許文献１】特開２００１−２３７７７６号公報
【特許文献２】特開２００８−１５４１２３号公報
【発明の概要】
【発明が解決しようとする課題】
【０００５】
図８は、一般的な可変イコライザ９００の構成を示す図である。可変イコライザ９００は、２個の１×９光スイッチと９個のチルトイコライザを備える。２個の１×９光スイッチは、１個のチルトイコライザを選択して、入力された波長多重（ＷＤＭ）光信号に所定の波長特性に基づく損失を与える。チルトイコライザが波長により異なる損失を光信号に与えることで、光信号のチルトレベルが調整される。ＷＤＭはWavelength Division Multiplexingの略であり、以下では波長多重光信号を「ＷＤＭ信号」と記載する。【０００６】
図９〜図１１は、チルトイコライザの波長特性を説明する図である。チルトイコライザは、所定の波長範囲λ１〜λ２（λ１＜λ２）において損失が波長に対して単調に変化するデバイスである。市販されているチルトイコライザとしては、ファイバグレーティングによって作製されたものが知られている。図９は、＋ｎｄＢのチルトイコライザの波長特性例である。＋ｎｄＢのチルトイコライザの波長λ２における損失は、波長λ１における損失よりもｎ（ｄＢ）高い。例えば、波長λ１におけるチルトイコライザの損失を０．５ｄＢとすると、波長λ２における＋ｎｄＢのチルトイコライザの損失はｎ＋０．５ｄＢである。図１０は、−ｎｄＢのチルトイコライザの波長特性例である。−ｎｄＢのチルトイコライザの波長λ１における損失は、波長λ２における損失よりもｎ（ｄＢ）高い。図１１は、０ｄＢのチルトイコライザの波長特性例である。０ｄＢのチルトイコライザは、波長λ１から波長λ２までの間の損失は一定（例えば０．５ｄＢ）である。図９〜図１１において、波長λ１から波長λ２までの損失の変化は単調である。【０００７】
可変イコライザ９００には、チルトレベルの調整範囲を拡大するためには多数のチルトイコライザが必要となるという課題がある。例えば、可変イコライザ９００は、−４ｄＢ〜＋４ｄＢの間を１ｄＢ間隔でチルトレベルを設定するために、９個のチルトイコライザを必要とする。海底に設置される通信装置には小型化が要求されるため、通信装置に実装できるデバイスの数量に制限がある。このため、多くの信号線が用いられる多芯システムでは多数のチルトイコライザが必要となり、システム価格の上昇を招く。【０００８】
（発明の目的）
本発明は、小形でチルトレベルの調整範囲が広い可変イコライザ及び可変イコライザの制御方法を実現するための技術を提供することを目的とする。
【課題を解決するための手段】
【０００９】
本発明の可変イコライザは、互いに異なるチルト量を持つ複数の第１の光イコライザを含む第１の光イコライザ群と、複数の第２の光イコライザを含む第２の光イコライザ群と、入力された光信号が、選択された前記第１の光イコライザと選択された前記第２の光イコライザとを通過して出力するように前記光信号の光路を形成する光素子と、を備え、複数の前記第２の光イコライザの少なくとも１つは、複数の前記第１の光イコライザのいずれとも異なるチルト量を持つ。【００１０】
本発明の可変イコライザの制御方法は、互いに異なるチルト量を持つ複数の第１の光イコライザを含む第１の光イコライザ群から前記第１の光イコライザを選択し、複数の第２の光イコライザを含み、複数の前記第２の光イコライザの少なくとも１つは、複数の前記第１の光イコライザのいずれとも異なるチルト量を持つ第２の光イコライザ群から第２の光イコライザを選択し、入力された光信号が、前記第１の光イコライザと前記第２の光イコライザとを通過して出力するように前記光信号の光路を形成する、ことを特徴とする。
【発明の効果】
【００１１】
本発明は、小形でチルトレベルの調整範囲が広い可変イコライザを提供する。
【図面の簡単な説明】
【００１２】
【図１】第１の実施形態の可変イコライザ１００の構成例を示す図である。
【図２】可変イコライザ１００によって実現可能なチルト量を示す表である。
【図３】第２の実施形態のイコライザシステム５００の構成例を示す図である。
【図４】チルト制御部５６０制御手順の例を示すフローチャートである。
【図５】第３の実施形態の可変イコライザシステム６００の構成例を示す図である。
【図６】可変イコライザ２００に設定可能なチルト量を示す図である。
【図７】可変イコライザ２００に設定可能なチルト量を示す図である。
【図８】一般的な可変イコライザ９００の構成を示す図である。
【図９】＋ｎｄＢチルトイコライザの波長特性を説明する図である。
【図１０】−ｎｄＢチルトイコライザの波長特性を説明する図である。
【図１１】０ｄＢチルトイコライザの波長特性を説明する図である。
【発明を実施するための形態】
【００１３】
（第１の実施形態）
図１は、本発明の第１の実施形態の可変イコライザ１００の構成例を示す図である。可変イコライザ１００は、入力された光信号のチルトレベルを−４ｄＢ〜＋４ｄＢの間で可変できる。可変イコライザ１００は、光スイッチ１１０、前段イコライザ１２０、光スイッチ１３０、後段イコライザ１４０、光カプラ１５０を備える。
【００１４】
光スイッチ１１０は１×３光スイッチである。前段イコライザ１２０は３台のチルトイコライザ１２１〜１２３を備える。３台のチルトイコライザ１２１〜１２３はいずれもチルトレベルを調整するための光イコライザであり、それぞれのチルト量は−１ｄＢ、０ｄＢ、＋１ｄＢである。光スイッチ１３０は、３×３光マトリクススイッチである。後段イコライザ１４０は３台のチルトイコライザ１４１〜１４３を備える。３台のチルトイコライザ１４１〜１４３はいずれもチルトレベルを調整するための光イコライザであり、それぞれのチルト量は−３ｄＢ、０ｄＢ、＋３ｄＢである。光カプラ１５０は、３×１光カプラである。
【００１５】
光スイッチ１１０は、入力された光信号を、チルトイコライザ１２１〜１２３のいずれかへ出力する。前段イコライザ１２０は、選択されたチルトイコライザの波長特性によって光信号のチルトレベル調整（−１ｄＢ、０ｄＢ、＋１ｄＢのいずれか）を行う。前段イコライザ１２０で所定の量のチルトレベル調整を受けた光信号は、光スイッチ１３０へ出力される。
【００１６】
光スイッチ１３０は、前段イコライザ１２０から出力される光信号を、チルトイコライザ１４１〜１４３のいずれかへ出力する。すなわち、光スイッチ１３０は、１×３光スイッチ１１０が選択した前段イコライザ１２０のチルトイコライザと、光スイッチ１３０が選択した後段イコライザ１４０のチルトイコライザとを直列に接続する。
【００１７】
後段イコライザ１４０は、選択されたイコライザの波長特性によって光信号のチルトレベル調整（−３ｄＢ、０ｄＢ、＋３ｄＢのいずれか）を行う。後段イコライザ１４０で所定の量のチルトレベル調整を受けた光信号は、光カプラ１５０を経由して光出力信号として出力される。前段イコライザ１２０と後段イコライザ１４０とは、それぞれ、イコライザ群と呼ぶことができる。
【００１８】
光カプラ１５０は、後段イコライザ１４０から出力される光信号を可変イコライザ１００の外部へ出力する。光カプラ１５０に代えて、３×１光スイッチを用いてもよい。この場合、３×１光スイッチは、チルトイコライザ１４１〜１４３のうち、光信号が出力されるチルトイコライザを選択してその出力を可変イコライザ１００の外部へ出力する。
【００１９】
光スイッチ１１０及び光スイッチ１３０は、可変イコライザ１００の外部から制御されてもよい。光スイッチ１１０及び光スイッチ１３０の制御によって、前段イコライザ１２０及び後段イコライザ１４０による光信号のチルトレベルがフラットに近づくように調整されてもよい。このような調整は、利得等化とも呼ばれる。このようにして、小形でチルトレベルの調整範囲が広い可変イコライザ１００が実現される。なお、光スイッチ１１０及び１３０並びに光カプラ１５０は、前段イコライザ１２０と後段イコライザ１４０から選択されたチルトイコライザを光信号が通過するように光信号の光路を形成する光素子と呼ぶことができる。
【００２０】
図２は、可変イコライザ１００によって実現可能なチルト量を示す表である。図２は、前段イコライザ１２０と後段イコライザ１４０とのチルト量の組み合わせにより、可変イコライザ１００のチルト量が−４ｄＢから＋４ｄＢの間で１ｄＢステップで設定できることを示す。光スイッチ１１０及び１３０は、所望のチルト量が得られるようにチルトイコライザ１２１〜１２３のいずれかとチルトイコライザ１４１〜１４３のいずれかと、を接続する。
【００２１】
図２に示すように、チルトレベルが異なる複数のチルトイコライザを組み合わせることで、本実施形態の可変イコライザ１００は、−４ｄＢ〜＋４ｄＢの間でチルトレベルを調整できる。可変イコライザ１００が備える光デバイスの数量は合計９個であり、図８に示す一般的な可変イコライザ９００より２個少ない。
【００２２】
本実施形態では、前段イコライザ１２０及び後段イコライザ１４０がいずれも３個のチルトイコライザを備える場合について説明した。しかし、チルトイコライザの数は３個でなくともよい。チルトイコライザの数は前段イコライザ１２０と後段イコライザ１４０とで異なっていてもよい。例えば、前段イコライザ１２０はＮ個のチルトイコライザを備え、後段イコライザ１４０はＭ個のチルトイコライザを備えてもよい。この場合には、光スイッチ１１０を１×Ｎ光スイッチとし、光スイッチ１３０をＮ×Ｍ光マトリクススイッチとし、光カプラ１５０をＭ×１光カプラとしてもよい。Ｎ及びＭは２以上の整数である。また、チルトイコライザのチルトレベルの調整量も、図２の値には限定されない。さらに、各チルトイコライザの波長特性は、前段イコライザ１２０と後段イコライザ１４０との組み合わせによって所望の量のチルトレベルの調整が可能となるものであればよい。また、図９及び図１０に示したチルトイコライザの縦軸の損失も、本実施形態では直線目盛、対数目盛、あるいは他の目盛でもよい。
【００２３】
可変イコライザ１００は、光スイッチ１１０及び光スイッチ１３０を用いて複数のチルトイコライザから選択された２台のチルトイコライザを直列に接続することで、イコライザ装置に必要なデバイスの数量を減らすことができる。このため、可変イコライザ１００は、小形でチルトレベルの調整範囲が広い可変イコライザを提供するとともに、海底に設置される光伝送装置のような、実装可能な光デバイスの数量の制限が大きい装置のコストを低減できる。また、１本の信号線に接続される光デバイスの数量を減らすことで、可変チルトイコライザ装置に多くの信号線（多芯化）に対応することが容易となるためシステムの拡張も容易にできるようになる。
【００２４】
（第２の実施形態）
図３は、本発明の第２の実施形態の可変イコライザシステム５００の構成例を示す図である。本実施形態では、入力された光信号のチルトレベルに基づいて可変イコライザ１００のチルトレベルが設定される。本実施形態では、可変イコライザ１００に入力される光信号は波長が昇順でλ１〜λ７の７個のキャリアを含むＷＤＭ信号である。可変イコライザシステム５００では、可変イコライザ１００から出力されるＷＤＭ信号のチルトレベルをフラットに近づける制御が行われる。
【００２５】
可変イコライザシステム５００は、第１の実施形態の可変イコライザ１００に加えて、カプラ５０１及び５０２、バンドパスフィルタ５１１〜５１３、受光器５２１〜５２３、解析部５３０、スイッチ制御部５４０、記憶部５５０を備える。カプラ５０２、バンドパスフィルタ５１１〜５１３、受光器５２１〜５２３、解析部５３０、スイッチ制御部５４０、記憶部５５０は可変イコライザ１００のチルト量を制御する回路であり、チルト制御部５６０と呼ぶことができる。チルト制御部５６０は、カプラ５０１を含んでもよい。チルト制御部５６０は、スイッチ１１０に入力されるＷＤＭ光信号のチルトレベルに基づいて、可変イコライザ１００が備える光スイッチ１１０及び１３０を制御するチルト制御手段を担う。
【００２６】
カプラ５０１は１×２光カプラであり、カプラ５０２は１×３光カプラである。カプラ５０１は、可変イコライザシステム５００に入力されるＷＤＭ信号を２分岐して一方を可変イコライザ１００へ出力し、他方をカプラ５０２へ出力する。カプラ５０１からカプラ５０２へ分岐されるＷＤＭ信号のパワーは、チルト制御部５６０が好適に動作するための最低限のパワーでよい。
【００２７】
カプラ５０２は、カプラ５０１から入力されたＷＤＭ信号を３分岐して、それぞれをバンドパスフィルタ５１１〜５１３へ出力する。バンドパスフィルタ５１１〜５１３は、ＷＤＭ信号に含まれる特定の波長のキャリアのみを透過させて受光器５２１〜５２３へ出力する。バンドパスフィルタ５１１、５１２、５１３は、それぞれ波長λ１、λ４、λ７のキャリアを透過させる光バンドパスフィルタである。波長λ１及びλ７はＷＤＭ信号の帯域の両端（λ１は最短波長、λ７は最長波長）であり、λ４はＷＤＭ信号の帯域のおおむね中間の波長である。本実施形態では、これらの３つの波長のキャリアの強度に基づいて、チルトレベルが算出される。カプラ５０２及びバンドパスフィルタ５１１〜５１３に代えて、光分波器あるいは波長選択スイッチ（Wavelength Selective Switch、WSS）を用いてもよい。光分波器及びＷＳＳは、ＷＤＭ信号から波長λ１、λ４、λ７のキャリアを抽出してそれぞれ受光器５２１、５２２、５２３へ出力する。
【００２８】
波長λ１、λ４、λ７のキャリアは、それぞれ、受光器５２１、５２２、５２３によって受光される。受光器５２１〜５２３は、例えばフォトダイオードであり、受光したそれぞれのキャリアの強度に比例した電気信号を生成する。受光器５２１〜５２３は、生成した電気信号を解析部５３０へ出力する。
【００２９】
解析部５３０は、受光器５２１〜５２３から入力された電気信号に基づいて、波長λ１、λ４、λ７のキャリアの強度を算出する。また、解析部５３０は、算出された強度に基づいて、可変イコライザ１００に入力される光信号のチルトレベルを解析し、その解析結果Ａをスイッチ制御部５４０へ出力する。例えば、波長λ１、λ４、λ７におけるＷＤＭ信号の強度から回帰分析によって波長に対するＷＤＭ信号の強度の傾きを求め、その傾きにおけるλ１及びλ７の強度差を解析結果Ａとしてもよい。ただし、解析結果Ａの算出手順はこれに限定されない。また、抽出される波長の数はチルトレベルの解析が可能な数であればよく、３波長に限らない。
【００３０】
可変イコライザ１００の出力において目標とされる目標チルトレベルＢは記憶部５５０に記憶されており、スイッチ制御部５４０は目標チルトレベルＢを記憶部５５０から読み出す。スイッチ制御部５４０は、解析部５３０から入力されたチルトレベルの解析結果Ａと目標チルトレベルＢとを比較し、光信号のチルトレベルを目標チルトレベルＢとするために必要となるチルトレベル調整量Ｃを算出する。すなわち、Ｃ＝Ｂ−Ａである。なお、目標チルトレベルＢは必ずしも０ｄＢ（平坦）である必要はない。例えば、光中継器が直列に接続された光伝送システムにおいて、各中継器を好適な条件で動作させるために、平坦でない目標チルトレベルＢが設定されてもよい。
【００３１】
例えば、解析された波長特性の傾きが波長λ１における強度が波長λ７における強度よりも２ｄＢ高い場合に解析結果Ａを＋２ｄＢとし、目標チルトレベルＢを０ｄＢ（平坦）とする。この場合、可変イコライザ１００では、目標チルトレベルＢを実現するために、波長λ１における強度を波長λ７における強度よりも２ｄＢ下げるように設定される。すなわち、チルトレベル調整量Ｃは、Ｂ−Ａ＝−２ｄＢとなる。図２を参照すると、チルトレベル調整量Ｃ＝−２ｄＢを実現するチルトイコライザの組み合わせは、前段イコライザが＋１ｄＢ（チルトイコライザ１２３）、後段イコライザが−３ｄＢ（チルトイコライザ１４１）となる。
【００３２】
スイッチ制御部５４０は、算出されたチルトレベル調整量Ｃに最も近いチルトレベルが設定されるように光スイッチ１１０及び光スイッチ１３０を制御する制御信号を、それぞれの光スイッチに送信する。第１の実施形態で説明したように、光スイッチ１１０は前段イコライザ１２０に含まれるチルトイコライザ１２１〜１２３のいずれかを選択する。光スイッチ１３０は、光スイッチ１１０で選択されたチルトイコライザ１２１〜１２３のいずれかと、チルトイコライザ１４１〜１４３のいずれかと、を接続する。上記の例では、光信号がチルトイコライザ１２３とチルトイコライザ１４１とを通過するように光スイッチ１１０及び光スイッチ１３０が制御される。このように、制御信号に基づいて選択されたチルトイコライザ１２１〜１２３と１４１〜１４３とを接続することによって、可変イコライザ１００にチルトレベル調整量Ｃに最も近いチルトレベルが設定される。
【００３３】
図４は、本実施形態におけるチルト制御部５６０制御手順の例を示すフローチャートである。まず、受光器５２１〜５２３はＷＤＭ信号に含まれる複数のキャリアの強度を検出する（図４のステップＳ０１）。解析部５３０は、検出されたキャリアの強度に基づいてＷＤＭ信号のチルトレベルを解析し、解析結果Ａを算出する（ステップＳ０２）。スイッチ制御部５４０は、記憶部５５０から目標チルトレベルＢを読み出し、解析結果Ａと目標チルトレベルＢとを比較してチルトレベル調整量Ｃを算出する（ステップＳ０３）。ステップＳ０３の手順は、解析部５３０が行ってもよい。スイッチ制御部５４０は、さらに、チルトレベル調整量Ｃを実現するように光スイッチ１１０及び１３０を制御する（ステップＳ０４）。
【００３４】
このように、本実施形態の可変イコライザシステム５００は、第１の実施形態の可変イコライザ１００の効果に加えて、チルト制御部５６０によって、入力されたＷＤＭ信号のチルトレベルを調整できるという効果を奏する。
【００３５】
（第３の実施形態）
図５は、本発明の第３の実施形態の可変イコライザシステム６００の構成例を示す図である。可変イコライザシステム６００は、可変イコライザ２００、カプラ５０１及びチルト制御部６６０を備える。可変イコライザ２００は、前段イコライザ２２０、中段イコライザ２４０及び後段イコライザ２６０を備え、１台の光スイッチ２１０、２台の光マトリクススイッチ（光スイッチ２３０及び２５０）、光カプラ２７０を備える。カプラ５０１は第２の実施形態と同様の１×２光カプラである。チルト制御部６６０の構成及び機能は、制御の対象となる光スイッチの数が増加している他は、第２の実施形態のチルト制御部５６０と基本的に同様である。すなわち、チルト制御部６６０は、第２の実施形態で説明したカプラ５０２、バンドパスフィルタ５１１〜５１３、受光器５２１〜５２３、解析部５３０、スイッチ制御部５４０、記憶部５５０を含む回路である。チルト制御部６６０は、カプラ５０１を含んでもよい。以下では、第２の実施形態と重複する説明は省略する。
【００３６】
可変イコライザシステム６００においても、入力されたＷＤＭ信号のチルトレベルに基づいて可変イコライザ２００のチルトレベルが設定される。本実施形態でも、可変イコライザ２００に入力されるＷＤＭ信号は波長が昇順でλ１〜λ７の７波長のキャリアを含むＷＤＭ信号である。
【００３７】
可変イコライザ２００は、第１及び第２の実施形態の可変イコライザ１００と比較して、中段イコライザ２４０及び中段イコライザ２４０の前後に光スイッチ２３０及び２５０を備える点で相違する。光スイッチ２１０、前段イコライザ２２０、後段イコライザ２６０及び光カプラ２７０は、可変イコライザ１００における光スイッチ１１０、前段イコライザ１２０、後段イコライザ１４０及び光カプラ１５０に対応する機能を有する。また、前段イコライザ２２０は、−０．５ｄＢ、０ｄＢ、＋０．５ｄＢのチルトイコライザを備える。中段イコライザ２４０は、−１．５ｄＢ、０ｄＢ、＋１．５ｄＢのチルトイコライザを備える。後段イコライザ２６０は、−４．５ｄＢ、０ｄＢ、＋４．５ｄＢのチルトイコライザを備える。
【００３８】
チルト制御部６６０は、第２の実施形態のチルト制御部５６０と同様に、可変イコライザシステム６００に入力されるＷＤＭ信号のチルトレベルの解析結果Ａと目標チルトレベルＢとを比較し、チルトレベル調整量Ｃを算出する。
【００３９】
図６及び図７は、本実施形態において可変イコライザ２００に設定可能なチルト量を示す図である。図６は、前段イコライザ２２０と中段イコライザ２４０との組み合わせによって、可変イコライザ２００に−２ｄＢ〜＋２ｄＢの間で０．５ｄＢステップでチルト量が設定できることを示す。図７は、さらに後段イコライザ２６０を組み合わせることにより、可変イコライザ２００に−６．５ｄＢ〜＋６．５ｄＢの間で０．５ｄＢステップで２７段階のチルト量が設定できることを示す。チルト量に対応するチルトイコライザを個別に用意して切り替える一般的な可変イコライザでは、２７個のチルトイコライザに加えて１×２７光スイッチと２７×１光カプラが必要となる。しかし、可変イコライザ２００は、９個のチルトイコライザ、３個の光スイッチ及び１個の光カプラで構成できるため、一般的な可変イコライザと比較して使用する光デバイスの数を大幅に削減できる。
【００４０】
このように、本実施形態の可変イコライザ２００は、第１の実施形態の可変イコライザ１００と同様の効果を奏する。また、本実施形態の可変イコライザシステム６００は、第２の実施形態の可変イコライザシステム５００と同様に、入力されたＷＤＭ信号のチルトレベルを調整できるという効果を奏する。
【００４１】
なお、本実施形態においても、チルトイコライザの並列数及びチルト量は実施形態の例に限定されない。また、可変イコライザ２００は、前段、中段、後段イコライザに加えて、さらに光マトリクススイッチ及び並列に接続されたチルトイコライザを備えてもよい。
【００４２】
第２及び第３の実施形態に記載された機能及び手順は、チルト制御部５６０及び６６０が備える中央処理装置（Central Processing Unit、ＣＰＵ）がプログラムを実行することにより実現されてもよい。プログラムは、固定された、一時的でない記録媒体に記録される。記録媒体としては半導体メモリ又は固定磁気ディスク装置が用いられるが、これらには限定されない。ＣＰＵは例えばチルト制御部５６０及び６６０に備えられるコンピュータである。
【００４３】
なお、本発明の実施形態は以下の付記のようにも記載されうるが、これらには限定されない。
【００４４】
（付記１）
互いに異なるチルト量を持つ複数の第１の光イコライザを含む第１の光イコライザ群と、
複数の第２の光イコライザを含む第２の光イコライザ群と、
入力された光信号が、選択された前記第１の光イコライザと選択された前記第２の光イコライザとを通過して出力するように前記光信号の光路を形成する光素子と、を備え、
複数の前記第２の光イコライザの少なくとも１つは、複数の前記第１の光イコライザのいずれとも異なるチルト量を持つ、
可変イコライザ。
【００４５】
（付記２）
第１の光スイッチと、
前記第１の光スイッチが選択可能な光路に一端が接続された前記第１の光イコライザと、
前記第１の光イコライザの他端と前記第２の光イコライザの一端とを接続する第２の光スイッチと、
前記第２の光イコライザの他端を結合する第１の光カプラと、
を備える付記１に記載された可変イコライザ。
【００４６】
（付記３）
前記第１の光スイッチは１×Ｎ光スイッチであり、
前記第１の光イコライザ群はＮ個の前記第１の光イコライザを含み、
前記第２の光スイッチはＮ×Ｍ光マトリクススイッチであり、
前記第２の光イコライザ群はＭ個の前記第２の光イコライザを含み、
前記第１の光カプラはＭ×１光カプラであり、
Ｍ及びＮはいずれも２以上の整数である、
付記２に記載された可変イコライザ。
【００４７】
（付記４）
複数の第３の光イコライザを含む第３の光イコライザ群と、
前記第２の光イコライザの他端と前記第３の光イコライザの一端とを接続する第３の光スイッチと、をさらに備え、
複数の前記第３の光イコライザの少なくとも１つは、複数の前記第１の光イコライザ及び複数の前記第２の光イコライザのいずれとも異なるチルト量を持ち、
前記第１の光カプラに代えて、前記第３の光イコライザの他端を結合する第２の光カプラを備える、付記２又は３に記載された可変イコライザ。
【００４８】
（付記５）
前記第３の光スイッチはＭ×Ｌ光マトリクススイッチであり、
前記第３の光イコライザ群はＬ個の前記第３の光イコライザを含み、
前記第２の光カプラはＬ×１光カプラであり、
Ｌは２以上の整数である、
付記４に記載された可変イコライザ。
【００４９】
（付記６）
さらに、前記第１の光スイッチに入力される前記光信号のチルトレベルに基づいて、前記第１の光スイッチ及び前記第２の光スイッチを制御するチルト制御手段を備える、
付記２乃至５のいずれかに記載された可変イコライザ。
【００５０】
（付記７）
さらに、前記第１の光スイッチに入力される前記光信号のチルトレベルに基づいて、前記第１乃至第３の光スイッチを制御するチルト制御手段を備える、
付記４又は５に記載された可変イコライザ。
【００５１】
（付記８）
前記チルト制御手段は、
前記光信号を分岐する第３の光カプラと、
前記第３の光カプラで分岐された前記光信号の複数の波長における強度を示す電気信号を生成する光電変換部と、
前記電気信号に基づいて前記光信号のチルトレベルを解析する解析手段と、
目標チルトレベル及び前記光信号のチルトレベルに基づいて少なくとも前記第１の光スイッチ及び前記第２の光スイッチを制御するスイッチ制御手段と、
を備える付記６又は７に記載された可変イコライザ。
【００５２】
（付記９）
前記チルト制御手段は、
前記光信号を分岐する第３の光カプラと、
前記第３の光カプラで分岐された前記光信号のスペクトルを示す電気信号を生成する光電変換部と、
前記電気信号に基づいて前記光信号のチルトレベルを解析するチルトレベル解析手段と、
目標チルトレベル及び前記光信号のチルトレベルに基づいて少なくとも前記第１の光スイッチ、前記第２及び第３の光スイッチを制御するスイッチ制御手段と、
を備える付記７に記載された可変イコライザ。
【００５３】
（付記１０）
互いに異なるチルト量を持つ複数の第１の光イコライザを含む第１の光イコライザ群から前記第１の光イコライザを選択し、
複数の第２の光イコライザを含み、複数の前記第２の光イコライザの少なくとも１つは、複数の前記第１の光イコライザのいずれとも異なるチルト量を持つ第２の光イコライザ群から第２の光イコライザを選択し、
入力された光信号が、前記第１の光イコライザと前記第２の光イコライザとを通過して出力するように前記光信号の光路を形成する、
可変イコライザの制御方法。
【００５４】
（付記１１）
前記光信号の複数の波長における強度を示す電気信号を生成し、
前記電気信号に基づいて前記光信号のチルトレベルを解析し、
目標チルトレベル及び前記光信号のチルトレベルに基づいて前記光路を形成する、
付記１０に記載された可変イコライザの制御方法。
【００５５】
以上、実施形態を参照して本願発明を説明したが、本願発明は上記の実施形態に限定されない。本願発明の構成や詳細には、本願発明のスコープ内で当業者が理解し得る様々な変更をすることができる。また、それぞれの実施形態に記載された構成は、必ずしも互いに排他的なものではない。本発明の作用及び効果は、上述の実施形態の全部又は一部を組み合わせた構成によって実現されてもよい。
【００５６】
この出願は、２０１８年３月１６日に出願された日本出願特願２０１８−０４８８６８を基礎とする優先権を主張し、その開示の全てをここに取り込む。
【符号の説明】
【００５７】
１００、２００、９００  可変イコライザ
１１０、１３０、２１０、２３０、２５０  光スイッチ
１２０、２２０  前段イコライザ
２４０  中段イコライザ
１４０、２６０  後段イコライザ
１２１〜１２３、１４１〜１４３  チルトイコライザ
１５０、２７０  光カプラ
５００、６００  可変イコライザシステム
５０１、５０２  カプラ
５１１〜５１３  バンドパスフィルタ
５２１〜５２３  受光器
５３０  解析部
５４０  スイッチ制御部
５５０  記憶部
５６０、６６０  チルト制御部
【図１】
2019176894.tif 000003
【図２】
2019176894.tif 000004
【図３】
2019176894.tif 000005
【図４】
2019176894.tif 000006
【図５】
2019176894.tif 000007
【図６】
2019176894.tif 000008
【図７】
2019176894.tif 000009
【図８】
2019176894.tif 000010
【図９】
2019176894.tif 000011
【図１０】
2019176894.tif 000012
【図１１】
2019176894.tif 000013
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
互いに異なるチルト量を持つ複数の第１の光イコライザを含む第１の光イコライザ群と、
複数の第２の光イコライザを含む第２の光イコライザ群と、
入力された光信号が、選択された前記第１の光イコライザと選択された前記第２の光イコライザとを通過して出力するように前記光信号の光路を形成する光素子と、を備え、
複数の前記第２の光イコライザの少なくとも１つは、複数の前記第１の光イコライザのいずれとも異なるチルト量を持つ、
可変イコライザ。
【請求項２】
第１の光スイッチと、
前記第１の光スイッチが選択可能な光路に一端が接続された前記第１の光イコライザと、
前記第１の光イコライザの他端と前記第２の光イコライザの一端とを接続する第２の光スイッチと、
前記第２の光イコライザの他端を結合する第１の光カプラと、
を備える請求項１に記載された可変イコライザ。
【請求項３】
前記第１の光スイッチは１×Ｎ光スイッチであり、
前記第１の光イコライザ群はＮ個の前記第１の光イコライザを含み、
前記第２の光スイッチはＮ×Ｍ光マトリクススイッチであり、
前記第２の光イコライザ群はＭ個の前記第２の光イコライザを含み、
前記第１の光カプラはＭ×１光カプラであり、
Ｍ及びＮはいずれも２以上の整数である、
請求項２に記載された可変イコライザ。
【請求項４】
複数の第３の光イコライザを含む第３の光イコライザ群と、
前記第２の光イコライザの他端と前記第３の光イコライザの一端とを接続する第３の光スイッチと、をさらに備え、
複数の前記第３の光イコライザの少なくとも１つは、複数の前記第１の光イコライザ及び複数の前記第２の光イコライザのいずれとも異なるチルト量を持ち、
前記第１の光カプラに代えて、前記第３の光イコライザの他端を結合する第２の光カプラを備える、請求項２又は３に記載された可変イコライザ。
【請求項５】
前記第３の光スイッチはＭ×Ｌ光マトリクススイッチであり、
前記第３の光イコライザ群はＬ個の前記第３の光イコライザを含み、
前記第２の光カプラはＬ×１光カプラであり、
Ｌは２以上の整数である、
請求項４に記載された可変イコライザ。
【請求項６】
さらに、前記第１の光スイッチに入力される前記光信号のチルトレベルに基づいて、前記第１の光スイッチ及び前記第２の光スイッチを制御するチルト制御手段を備える、
請求項２乃至５のいずれかに記載された可変イコライザ。
【請求項７】
さらに、前記第１の光スイッチに入力される前記光信号のチルトレベルに基づいて、前記第１乃至第３の光スイッチを制御するチルト制御手段を備える、
請求項４又は５に記載された可変イコライザ。
【請求項８】
前記チルト制御手段は、
前記光信号を分岐する第３の光カプラと、
前記第３の光カプラで分岐された前記光信号の複数の波長における強度を示す電気信号を生成する光電変換部と、
前記電気信号に基づいて前記光信号のチルトレベルを解析する解析手段と、
目標チルトレベル及び前記光信号のチルトレベルに基づいて少なくとも前記第１の光スイッチ及び前記第２の光スイッチを制御するスイッチ制御手段と、
を備える請求項６又は７に記載された可変イコライザ。
【請求項９】
前記チルト制御手段は、
前記光信号を分岐する第３の光カプラと、
前記第３の光カプラで分岐された前記光信号のスペクトルを示す電気信号を生成する光電変換部と、
前記電気信号に基づいて前記光信号のチルトレベルを解析するチルトレベル解析手段と、
目標チルトレベル及び前記光信号のチルトレベルに基づいて少なくとも前記第１の光スイッチ、前記第２及び第３の光スイッチを制御するスイッチ制御手段と、
を備える請求項７に記載された可変イコライザ。
【請求項１０】
互いに異なるチルト量を持つ複数の第１の光イコライザを含む第１の光イコライザ群から第１の光イコライザを選択し、
複数の第２の光イコライザを含み、複数の前記第２の光イコライザの少なくとも１つが複数の前記第１の光イコライザのいずれとも異なるチルト量を持つ第２の光イコライザ群から第２の光イコライザを選択し、
入力された光信号が、前記第１の光イコライザと前記第２の光イコライザとを通過して出力するように前記光信号の光路を形成する、
可変イコライザの制御方法。
【国際調査報告】
2019176894.tif 000014
2019176894.tif 000015
2019176894.tif 000016
2019176894.tif 000017